(57)【特許請求の範囲】
【請求項１】
他の非接触券処理装置の本体と通信制御部を介して接続されている非接触券処理装置の本体に設けられているアンテナの交信範囲に非接触券がかざされたときに、その非接触券処理装置の本体とその非接触券との間でデータ授受を行うデータ授受手段と、
前記非接触券処理装置の本体が前記非接触券からその非接触券処理装置の本体から送出された所定のデータの書込みを終了した旨の書込終了信号を受信しないときに、新たなデータ授受により得られた非接触券のカードＩＤがその非接触券処理装置の本体に記憶されている内容と一致したときはその新たなデータ授受に係る非接触券のかざしを再かざしと判定する判定手段と、
再かざしと判定されたときに、前回のかざしで得られた所定のデータが前記非接触券処理装置の本体と異なる他の非接触券処理装置の本体で得られたものであり、それを有効と判定して所定の処理を行うとともに、その非接触券処理装置の本体に記憶されている所定のデータを消去する処理制御手段と、
からなることを特徴とする非接触券処理装置。
【発明の詳細な説明】
【０００１】
【発明の属する技術分野】
本発明は非接触券処理装置に係り、特に、非接触券と非接触券処理装置の本体との間の交信が途中で途絶えて処理未了が発生したときに、２度引き等の不都合を発生させることなく効率よく処理することができるようにしたものに関する。
【０００２】
【従来の技術】
近年、利用者（旅客）の利便向上を図るために、定期券を定期券入れから出し入れすることなく、自動改札機の本体に設けられているアンテナに無線通信機能を備えたＩＣカードからなる非接触券をかざして、又はそのアンテナに非接触券をタッチさせて（本発明では、このタッチもかざしの中に含めている。）入出場（入場又は出場を意味している。）のできる非接触式自動改札機が提案されている。
【０００３】
また、非接触券は、磁気券からなる従来の定期券に比べて記憶容量が格段に大きいので、非接触券の中に定期券データの他に金額データを持たせて、その金額データを用いて直接入出場処理を行ったり、あるいは、駅売店等の所定の場所に設けられている、非接触券と非接触で交信することのできる非接触式決済機で購入商品の代金決済を行えるようにすることが考えられている。なお、本発明の金額データの中には、銀行引き落としのクレジットデータも含まれている。
【０００４】
【発明が解決しようとする課題】
ところで、非接触券は、利用者が非接触券処理装置の本体に設けられているアンテナにかざしてデータ授受を行う関係上、交信状態が不安定になりやすく、データ授受が途中で途絶えて処理未了になりやすい欠点がある。このように、データ授受が不調に終わった後、非接触券がアンテナに再度かざされてデータ授受が再開されると、金額の２度引きや、入出場が正常な対とならないことにより、つまり、入場→入場、又は、出場→出場が行われることにより、入出場が拒否されるような不都合が発生してしまう。
【０００５】
非接触式自動改札機では、このような場合、利用者が改札通路内から出ることなくカードを再度かざせば、処理を完了させる仕組みを備えているが、利用者が一旦改札通路外に退去した場合は上述の問題が発生してしまう。
【０００６】
図４の伝送制御手順を用いてさらに説明すると、非接触券処理装置の本体が非接触式自動改札機の本体の場合、アンテナの交信範囲に非接触券がかざされると、非接触式自動改札機の本体からのデータ要求に対して非接触券からカードＩＤや定期券データ、あるいは金額データ等の所定のカードデータが非接触式自動改札機の本体に取込まれる。そして、その取込まれたカードデータは、非接触式自動改札機の本体の制御器の入出場の演算処理に用いられる。
【０００７】
入出場の演算処理により新たな入出場データが生成され、また、減額処理により新たな残額データが発生すると、これらは、非接触券に送出されて書込まれる。そして、その新たなデータの書込みが終了したことが非接触式自動改札機の本体が受信すると、一連の入出場処理が正常に終了したと判定される。しかし、図４に鎖線で示されるように、書込終了データが何らかの理由により非接触式自動改札機の本体で受信できず処理未了となったときは、入出場が拒否され、非接触券の再かざしが案内される。
【０００８】
非接触券の再かざしが改札通路から出た後、再び行われると、又は、改札通路から出た利用者が他の隣接する非接触式自動改札機の本体のアンテナに非接触券のかざしが行われると、再度、上述の入出場処理が開始されるので、金額の２度引きや、入出場が正常な対とならないことによる入出場拒否が発生してしまう。
【０００９】
そこで、本発明は、上述のように、データ授受の不調により処理未了となったときに、非接触券の再かざしが行われても、２度引きの防止ができ、また、正常な入出場処理等の所定の処理を的確に行うことのできる非接触券処理装置を提供することを目的としている。
【００１０】
【課題を解決するための手段】
本発明に係る非接触券処理装置は、上記目的を達成するために、他の非接触券処理装置の本体と通信制御部を介して接続されている非接触券処理装置の本体に設けられているアンテナの交信範囲に非接触券がかざされたときに、その非接触券処理装置の本体とその非接触券との間でデータ授受を行うデータ授受手段と、前記非接触券処理装置の本体が前記非接触券からその非接触券処理装置の本体から送出された所定のデータの書込みを終了した旨の書込終了信号を受信しないときに、新たなデータ授受により得られた非接触券のカードＩＤがその非接触券処理装置の本体に記憶されている内容と一致したときはその新たなデータ授受に係る非接触券のかざしを再かざしと判定する判定手段と、再かざしと判定されたときに、前回のかざしで得られた所定のデータが前記非接触券処理装置の本体と異なる他の非接触券処理装置の本体で得られたものであり、それを有効と判定して所定の処理を行うとともに、その非接触券処理装置の本体に記憶されている所定のデータを消去する処理制御手段と、からなることを特徴としている。
【００１１】
【発明の実施の形態】
以下、本発明の実施の形態を図面に基づいて説明する。図１は、非接触券処理装置を非接触式自動改札機としたときの斜視図である。この非接触式自動改札機の本体（以下、「本体」という。）Ｇの入口側の筐体Ｈの上面には、非接触券Ｃと交信するためのアンテナａが設けられている。
【００１２】
本体Ｇの筐体Ｈの改札通路Ｐの入口側には、本体Ｇの使用状態、つまり改札通路Ｐを通過できるか否かを利用者に表示するための表示部１が設けられている。また、図中、Ｓ，Ｓ…は、改札通路Ｐへの利用者の進入又は改札通路Ｐからの退出、あるいは通過を検知するための光電式の人間検知器であり、筐体Ｈの側面及びセンサ取付アーム２に取付けられている。また、筐体Ｈの側面には、利用者に対して音声により所定の案内をアナウンスするためのスピーカ３が取付けられているとともに、筐体Ｈの上面の出口側には、利用者に対して文字により所定の案内を行う表示画面４が取付けられている。
【００１３】
図中、５は、本体Ｇの動作を司どる制御器であり、マイクロコンピュータを中心に構成されている。そして、この制御器５には、非接触券Ｃとの間でデータの授受を行うためのトランスミッタ（リーダライタ）Ｔが接続されている。また、この制御器５は、図示しないが、本体Ｇの設置駅に設置されている他の本体や自動券売機等の駅務機器を一括管理する駅制御装置（駅装置）に接続されている。
【００１４】
トランスミッタＴは、周知の非接触式自動改札機と同じく、アンテナａを介して非接触券Ｃから定期券データや金額データ等の所定のカードデータを受信するとともに、本体Ｇから非接触券Ｃに残額や入出場情報等の所定のデータを送信できる機能を有している。
【００１５】
図２は、制御器５及び非接触券Ｃの電気的構成を示すブロック図であって、本体Ｇに設けられている制御器５側から説明すると、この制御器５の制御部６は、メモリ７に記憶されているシステムプログラム及びワーキングデータを用いて演算処理を行って、本体Ｇを統括的に制御できるように構成されている。そして、この制御部６には、図示しないＩ／Ｏユニットを介してドアＤ1 ，Ｄ2 を駆動制御するドア駆動ユニット８と、表示画面４の表示内容を駆動制御する表示画面駆動ユニット９とが接続されている。また、この制御部６には、通信制御部６ａを介して他の本体の制御器が接続されていて、互いに通信できるように構成されている。なお、この通信は、図示しない駅制御装置を介して行うこともできる。また、この制御部６には、Ｉ／Ｏユニットを介してスピーカ３の音声を駆動制御する音声駆動ユニット、及び人間検知器Ｓの検知信号を入力するためのセンサアンプ等が接続されているが、ここでは省略されている。
【００１６】
トランスミッタＴには、非接触券Ｃと交信を行うためのアンテナａが接続されている。このアンテナａは、非接触券Ｃとデータ授受を行うためのアンテナａ1 と、非接触券Ｃに電力を供給するためのアンテナａ2 とを有している。
【００１７】
非接触券Ｃは、無線通信機能を有する通常のＩＣカードと同様に、アンテナ１０と、通信制御部１１と、ＣＰＵ１２と、メモリ１３と、本体Ｇからの電力波をアンテナ１４を介して受信し、非接触券Ｃの駆動電力を生成する電力生成回路１５とを有している。メモリ１３には、ＣＰＵ１２の演算処理用のシステムプログラム以外に、非接触券ＣのカードＩＤ（識別情報）、金額データ、定期券データ、クレジットカードデータ等の所定のカードデータが記録されている。
【００１８】
次の図３のフローチャートを用いて制御動作について説明する。今、本体Ｇのアンテナの交信範囲内に非接触券Ｃがかざされて、本体Ｇと非接触券Ｃとの間で交信が開始され、非接触券Ｃのカードデータが本体Ｇに受信されたとする（ステップ１００肯定、ステップ１０２。以下、ステップを「Ｓ」とする。）。
【００１９】
本体Ｇの制御器５のメモリ７には、本体Ｇがそれまでに処理した非接触券の処理内容、及びその本体Ｇに隣接する本体がそれまでに処理した非接触券の処理内容が記憶されているので、今回の受信データ中に含まれるカードＩＤがメモリ７に記憶されているカードＩＤと一致するとき（Ｓ１０４、Ｓ１０６肯定）、今回の非接触券Ｃのかざしは再かざしと判定される。
【００２０】
非接触券Ｃが再かざしと判定されたときは、メモリ７に記憶されている前回の日付と今回のかざしで得られた日付とが一致し、さらに、今回のかざしで読取られた入出場データや残額データ等の所定の読取データがメモリ７に記憶されている前回の書込データと一致するか否かが判定される（Ｓ１０８）。そして、これらが一致したとき、非接触券Ｃを用いた処理が金額データからの残額処理を伴う場合、前回のかざしで減額処理が行われているので、減額処理は禁止される。また、定期券データを用いた処理の場合、今回読取られた入出場データと前回の書込の行われた入出場データとが一致しているときは、再度の入出場処理が禁止されて入出場が許可される（Ｓ１１０）。なお、カードＩＤが前回のかざしと今回のかざしとで一致していても、前回と今回とで上述の日付等が一致していないときは、何らかの異常が発生しているので、係員処理とされる（Ｓ１０８否定）。また、今回のカードＩＤがメモリ７に記憶されていないときは、今回のかざしは初めてであるので、通常の処理が行われる（Ｓ１０６否定、Ｓ１１２）。
【００２１】
本体Ｇと非接触券Ｃとが交信したときの本体Ｇのメモリ７に記憶される所定のデータは、本体Ｇと非接触券Ｃとの間のデータ授受が正常に終了したときは消去される。そして、そのデータ授受が未了に終わったときのみ、その未了に係るデータが記憶される。このようにすることにより、メモリ７の容量を小さくすることができるとともに、データ参照時間が短いので処理時間を短縮することができる。
【００２２】
なお、上述の例では、非接触券処理装置を非接触式自動改札機としたが、駅売店等に設置される非接触式決済機やその他の非接触券処理装置とすることができる。
【００２３】
【発明の効果】
本発明に係る非接触券処理装置は、他の本体と通信制御部を介して接続されている本体に設けられているアンテナの交信範囲に非接触券がかざされたときに、その本体とその非接触券との間でデータ授受を行うデータ授受手段と、前記本体が前記非接触券からその本体から送出された所定のデータの書込みを終了した旨の書込終了信号を受信しないときに、新たなデータ授受により得られた非接触券のカードＩＤがその本体に記憶されている内容と一致したときはその新たなデータ授受に係る非接触券のかざしを再かざしと判定する判定手段と、再かざしと判定されたときに、前回のかざしで得られた所定のデータが前記本体と異なる他の本体で得られたものであり、それを有効と判定して所定の処理を行うとともに、その非接触券処理装置の本体に記憶されている所定のデータを消去する処理制御手段とからなるので、再かざしで入出場が拒否されたり、あるいは、いわゆる２度引き等を効果的に防止することができる。また、メモリ容量を小さくすることができるとともに、処理時間を短縮することができる。
【図面の簡単な説明】
【図１】本発明の一実施の形態に係る非接触券処理装置を非接触式自動改札機としたときの斜視図である。
【図２】電気的構成を示すブロック図である。
【図３】制御動作を示すフローチャートである。
【図４】従来の非接触券処理装置の制御動作を示す伝送制御手順である。
【符号の説明】
Ｇ  非接触式自動改札機の本体（本体）
３  スピーカ
４  表示画面
５  制御器
Ｔ  トランスミッタ
Ｓ  人間検知器
ａ  アンテナ
Ｃ  非接触券
【図１】
0003897950.tif 000002
【図２】
0003897950.tif 000003
【図３】
0003897950.tif 000004
【図４】
0003897950.tif 000005